(57)【特許請求の範囲】
【請求項１】
ケースの前面板に開口を形成して該開口の個所の該ケース内に手洗い器を設けると共に、該ケース内の残余のスペースに、水道源から便器への主管路と該主管路から分岐して前記手洗い器に接続する補助管路を配設し、前記主管路において、前記補助管路への分岐部の上流側に、フラッシュバルブ又は電磁バルブ又は電動バルブからなるバルブを介在し、該バルブを作動する操作ボタンを前記ケースの前面板又は後面板に設け、前記手洗い器は前面部が開口した横向きの円筒形で後面壁を有する手洗い部とその円筒内面上方に前記補助管路に接続した流出口と下方に排水のための排水口とが設けられていることを特徴とする手洗い装置。
【発明の詳細な説明】
【０００１】
【発明の属する技術分野】
本発明は例えば刑務所、留置場や精神病院等のトイレに好適な手洗い装置に関する。
【０００２】
【従来の技術】
従来トイレの手洗い装置として、トイレの内壁面に手洗い器を突設し、該手洗い器の上方に先端に蛇口を有する水道管を該内壁面から突出させると共に該手洗い器の排出口に接続の排出管を該内壁面から突出して形成されているのが一般的であった。
【０００３】
【発明が解決しようとする課題】
刑務所や精神病院等に収容されている人はストレスその他から気持が不安定になって時には暴力的になる。そこで従来の手洗い装置によると、手洗い器や水道管更に排水管が内壁面から突出しているので、これらを力づくで取り外されることが度々生じ、危険であると共に修理に手間がかかる等の問題点があった。
【０００４】
本発明はこれらの問題点を解消し、ユニット化して施工及び管理が容易になる手洗い装置を提供することを目的とする。
【０００５】
【課題を解決するための手段】
本発明は上記の目的を達成すべく、ケースの前面板に開口を形成して該開口の個所の該ケース内に手洗い器を設けると共に、該ケース内の残余のスペースに、水道源から便器への主管路と該主管路から分岐して前記手洗い器に接続する補助管路を配設し、前記主管路において、前記補助管路への分岐部の上流側に、フラッシュバルブ又は電磁バルブ又は電動バルブからなるバルブを介在し、該バルブを作動する操作ボタンを前記ケースの前面板又は後面板に設け、前記手洗い器は前面部が開口した横向きの円筒形で後面壁を有する手洗い部とその円筒内面上方に前記補助管路に接続した流出口と下方に排水のための排水口とが設けられていることを特徴とする。
【０００６】
【発明の実施の形態】
本発明の第１の実施の形態を図１により説明する。
【０００７】
１は本発明の第１の実施の形態である手洗い装置を示し、該手洗い装置１はトイレの内壁Ｂに埋め込んで設置され、主要部をコンパクトに組み込んだ平箱状のケース１ａと該ケース１ａの前面板１ｂに開口した個所の内側に設けた手洗い器２と該ケース１ａ内の該手洗い器２が占有したスペース以外の個所に水道源３から便器Ａへ接続する主管路４と該主管路４から分岐して該手洗い器２に接続する補助管路５とが配設されている。
【０００８】
又、前記主管路４の前記補助管路５への分岐部４ａの上流側に多量の水を短時間に流すためのフラッシュバルブなどからなるバルブ６が介在して設けられ、該バルブ６を操作するための操作ボタン７が用途により前記ケース１ａの前面板１ｂ又は後面板１ｃのどちらかに設けられているか、両前後面板１ｂ、１ｃに共に設けられている。
【０００９】
尚、操作ボタン７はバルブ６と細い管路で接続され該操作ボタン７を押すと圧力水がバルブ６の弁を開き、又バルブ６はフラッシュバルブの代りに電磁バルブや電動バルブであってもよく、その場合の操作ボタン７は電気的なスイッチとなる。
【００１０】
前記手洗い器２は前面部が開口した横向きの奥行の浅い円筒形で後面壁を有する手洗い部２ａとその円筒内面上方に前記補助管路５に接続した流出口２ｂと下方に排水のための排水口２ｃとが設けられ、該排水口２ｃは臭気止めのためのＳ字トラップ８を介在して下水管に連通し、前側の開口個所には水はね防止のための下方が三日月形の水除けが設けられた水除けリング２ｄが前記ケース１ａの前面板１ｂの開口個所に固着されている。
【００１１】
尚、流出口２ｂの突出した部分や前面リング２ｄの縁は全て手を切らない様に丸味を設けている。
【００１２】
次に本発明の第１の実施の形態の使用方法を説明する。
【００１３】
本手洗い装置１が設置されるのは、例えば刑務所、留置場や精神病院などの隔離された場所のトイレ個室内であり、このトイレ内壁面や便器Ａには安全と破壊防止のために水道管や排水管などの突出している部分がない様に形成され、図示していないがこの便器Ａはけられても壊れない様に丈夫なステンレス製の洋式や和式の便器であり、可動する蓋はなく便座もステンレスの本体に固定され、該手洗い装置１もトイレ壁面Ｂとケース１ａの前面板１ｂとが同じ面となる様に該トイレ壁面Ｂ内に設置されている。
【００１４】
尚、露出していると壊されるので、トイレットペーパーはペーパーホルダーがトイレ壁面Ｂの内側に設けられ、該トイレ壁面Ｂにはスリット状のペーパー孔が設けられていて突出部分はない。
【００１５】
先ず、便器Ａで用便後、前面板１ｂに設けられている操作ボタン７を押すとフラッシュバルブなどのバルブ６が開いて水道源３に連なる主管路４から一気に多量の水が便器Ａに流れて用便を下水へ流す。この時該主管路４から分岐した補助管路５へも水が流れるので、手洗い器２へ手を入れると上方の流出口２ｂから水が流下して手を洗うことができる。この手洗いした水は排出口２ｃへ流れるが、手洗い時に飛び散る水は前面の水除けリング２ｄに当り外へ出ない。
【００１６】
この様に手洗い器２と該手洗い器２や便器Ａに連なる主管路４や補助管路５などの要部をコンパクトにケース１ａ内に収めてユニット化できると共に、該ケース１ａの厚みをトイレ壁面Ｂの厚みと略同じにしたことにより設置作業と修理などの管理を容易にすることができる。
【００１７】
尚、補助管路５には手洗い器２の流出口２ｂから流出する水量の調整用に手動バルブ５ａが介在して設けられている。又ケース１ａの前面板１ｂは１部截断図に示す如くゴムシートなどの衝撃緩衝材１ｄを中間にステンレス板や強化プラスチック板１ｅで挟んだサンドイッチ構造に形成されていて拳などによる打撃や打撃音を緩衝することができ、又、後面板１ｃもサンドイッチ構造にすると更に音を静かにすることができる。
【００１８】
次に本発明の第２の実施の形態を図２により説明する。
【００１９】
前記刑務所、留置場や精神病院などの隔離された場所のトイレでは、故意に便器外に用便したりトイレ床面や内壁を汚すなどの行為があり、それらの汚物を洗い流す必要がある。
【００２０】
本第２の実施の形態である手洗い装置１１は、その洗浄作業のための散水栓を前記第１の実施の形態の手洗い装置１に追加内蔵したものであり、又、前記別個所に設置されていたトイレットペーパーも内蔵したことが特徴であり、前記手洗い器２や水道源３に連なる主管路４や補助管路５などの主要部は全て前記第１の実施の形態と同様である。
【００２１】
この手洗い装置１１は図２に示す様にケース１１ａ内に前記手洗い装置２、主管路４、補助管路５やフラッシュバルブ６などの下方の残余のスペースに散水栓９及びトイレットペーパーのペーパーホルダー１０が設けられている。該散水栓９は前記主管路４に介在したバルブ６の上流側から分岐し、１部截断図に示す如く散水口９ａと手動弁９ｂとからなり、前記ケース１１ａ内に設けられた散水室９ｃの下面に取付けられ、該散水室９ｃはトイレ内壁面側に開口して、その開口部に散水蓋９ｄが前記ケース１１ａの前面板１１ｂと同一面となる様に設けられると共に、鍵９ｅによって開閉されていて、いたずらなどの悪質な行為から該散水栓９を保護している。
【００２２】
又、露出していると壊されるので、ペーパーホルダー１０は該ケース１１ａの下方に内蔵され、トイレットペーパーを取出すためのペーパー孔１０ａは前記ケース１１ａの前面板１１ｂの下方にスリット状に設けられている。
【００２３】
尚、トイレットペーパーの補充はケース１１ａの裏側に設けられた補助孔より行ない、又、該ペーパーホルダー１０を前記第１の実施の形態の手洗い装置１に設けてもよい。
【００２４】
次に本発明の手洗い装置１１の特徴である散水栓９の使用方法を説明する。
【００２５】
前記の如く、故意に便器外に用便されたり床面や内壁を汚されたりしたら、先ず鍵９ｅで散水蓋９ｄを開け、散水栓９の散水口９ａに用意したホースを接続してから手動弁９ｂを回して水を出してホース先端の放水口から出る強い水勢の放出水により前記汚物などをブラシなどを使用して洗浄する。
【００２６】
この様にトイレ内壁側に水道源３に連なる散水栓９が設けられることによりトイレ内の洗浄作業を速やかに行うことができる。
【００２７】
又、該前面板１１ｂと散水蓋９ｄも前記前面板１ｂと同様にゴムシートなどを中間に挟んだサンドイッチ構造としてもよく、その場合は打撃音を低減することができる。更にペーパーホルダー１０を露出しない様にコンパクトにケース１１ａ内に収めてユニット化したことにより別置のペーパーホルダーを省いて設置作業と修理の管理を容易にすることができる。
【００２８】
【発明の効果】
このように本発明によると、手洗い器と該手洗い器と便器に連なる管路などの要部とペーパーホルダーなどを突出しない様にコンパクトにケース内に収めてユニット化したことにより、設置と修理などの管理を容易にする効果を有し、又、散水栓もケース内に収めることによりトイレ内の洗浄を速やかにできる効果を有する。
【図面の簡単な説明】
【図１】本発明の第１の実施の形態の手洗い装置の斜視図である。
【図２】本発明の第２の実施の形態の手洗い装置の正面図である。
【符号の説明】
１    手洗い装置
１ａ  ケース
２    手洗い器
３    水道源
４    主管路
５    補助管路
６    バルブ
７    操作ボタン
Ａ    便器
Ｂ    トイレ内壁
【図１】
0003648435.tif 000002
【図２】
0003648435.tif 000003